(57)【要約】【課題】、楽しみながら運動を行うことができ、ユーザにパーソナライズされた健康管理プログラムを提供する。【解決手段】本発明の健康管理プログラムは、複数のコンテンツを記憶する記憶部、ユーザの移動量を取得する取得部、前記移動量に応じて、前記コンテンツをロック状態又はアンロック状態に制御するロック制御部、前記ユーザの端末上において、前記コンテンツの前記ロック状態及び前記アンロック状態を表示する状態表示部として、コンピュータを機能させる。【選択図】図１
2018061522.tif 000002
【特許請求の範囲】
【請求項１】
複数のコンテンツを記憶する記憶部、
ユーザの移動量を取得する取得部、
前記移動量に応じて、前記コンテンツをロック状態又はアンロック状態に制御するロック制御部、
前記ユーザの端末上において、前記コンテンツの前記ロック状態及び前記アンロック状態を表示する状態表示部
として、コンピュータを機能させる健康管理プログラム。
【請求項２】
請求項１に記載の健康管理プログラムであって、
前記記憶部は、前記コンテンツに基準移動量を関連付けて記憶しており、
前記制御部は、前記移動量が前記基準移動量を上回ると前記コンテンツを前記ロック状態から前記アンロック状態に変更し、前記移動量が前記基準移動量を下回ると前記コンテンツを前記アンロック状態から前記ロック状態に変更するものであり、
前記状態表示部は、前記基準移動量と前記ユーザの現在の移動量との差分に関する情報を更に表示する、
健康管理プログラム。
【請求項３】
請求項２に記載の健康管理プログラムであって、
前記取得部は、前記ユーザの前記移動量の日毎の履歴をも取得するものであり、
前記履歴に応じて前記基準移動量を補正する補正部としてコンピュータを更に機能させる、
健康管理プログラム。
【請求項４】
請求項３に記載の健康管理プログラムであって、
前記記憶部は、前記ユーザの健康状態情報を更に記憶しており、
前記取得部は、前記ユーザの前記健康状態情報をも取得するものであり、
前記補正部は、前記健康状態情報に応じて前記基準移動量を補正する、
健康管理プログラム。
【請求項５】
請求項１乃至請求項４のいずれかに記載の健康管理プログラムであって、
前記移動量は、前記ユーザの歩数である、
健康管理プログラム。
【請求項６】
請求項１乃至請求項４のいずれかに記載の健康管理プログラムであって、
前記移動量は、あらかじめ登録されたユーザの一歩数あたりの距離から算出された総距離である、
健康管理プログラム。
【請求項７】
複数のコンテンツを記憶する記憶部と、
ユーザの移動量を取得する取得部と、
前記移動量に応じて、前記コンテンツをロック状態又はアンロック状態に制御するロック制御部と、
前記ユーザの端末上において、前記コンテンツの前記ロック状態及び前記アンロック状態を表示する状態表示部と、
を備える健康管理装置。
【発明の詳細な説明】
【技術分野】
【０００１】
本発明は、健康管理プログラム及び健康管理サーバに関し、特にユーザの歩数に関する健康管理を行う技術に関する。
【背景技術】
【０００２】
近年、ダイエットやメタボリックシンドロームの予防等の健康意識の高まりを受けて、歩数計によって計測した歩数をポイント（仮想通貨等）に変更し、運動の促進を提案する偽１０が提案されている。特許文献１に記載の技術は、携帯型電子機器によって計測された歩数に応じてコインを獲得するものである。
【先行技術文献】
【特許文献】
【０００３】
【特許文献１】特開２０１１−２４４９８６号公報
【発明の概要】
【発明が解決しようとする課題】
【０００４】
しかしながら、特許文献１に記載の技術では仮想通貨の獲得に興味のないユーザにとって運動の促進効果は低く、ユーザの生活習慣や属性に応じた目標を設定することができない。
【０００５】
そこで、本発明は、上記問題に鑑みてなされたものであり、楽しみながら運動を行うことができ、ユーザにパーソナライズされた健康管理プログラムを目的とする。
【課題を解決するための手段】
【０００６】
本発明によれば、第１の健康管理サーバとして、健康管理対象者の端末とインターネ
複数のコンテンツを記憶する記憶部、
ユーザの移動量を取得する取得部、
前記移動量に応じて、前記コンテンツをロック状態又はアンロック状態に制御するロック制御部、
前記ユーザの端末上において、前記コンテンツの前記ロック状態及び前記アンロック状態を表示する状態表示部
として、コンピュータを機能させる健康管理プログラムが得られる。
【０００７】
また、本発明によれば、第２の健康管理プログラムとして、第１に記載の健康管理プログラムであって、
前記記憶部は、前記コンテンツに基準移動量を関連付けて記憶しており、
前記制御部は、前記移動量が前記基準移動量を上回ると前記コンテンツを前記ロック状態から前記アンロック状態に変更し、前記移動量が前記基準移動量を下回ると前記コンテンツを前記アンロック状態から前記ロック状態に変更するものであり、
前記状態表示部は、前記基準移動量と前記ユーザの現在の移動量との差分に関する情報を更に表示する、
健康管理プログラムが得られる。
【０００８】
また、本発明によれば、第３の健康管理プログラムとして、第２に記載の健康管理プログラムであって、
前記取得部は、前記ユーザの前記移動量の日毎の履歴をも取得するものであり、
前記履歴に応じて前記基準移動量を補正する補正部としてコンピュータを更に機能させる、
健康管理プログラムが得られる。
【０００９】
また、本発明によれば、第４の健康管理プログラムとして、第３に記載の健康管理プログラムであって、
前記記憶部は、前記ユーザの健康状態情報を更に記憶しており、
前記取得部は、前記ユーザの前記健康状態情報をも取得するものであり、
前記補正部は、前記健康状態情報に応じて前記基準移動量を補正する、
健康管理プログラムが得られる。
【００１０】
また、本発明によれば、第５の健康管理プログラムとして、第１乃至第４のいずれかに記載の健康管理プログラムであって、
前記移動量は、前記ユーザの歩数である、
健康管理プログラムが得られる。
【００１１】
また、本発明によれば、第６の健康管理プログラムとして、第１乃至第４のいずれかに記載の健康管理プログラムであって、
前記移動量は、あらかじめ登録されたユーザの一歩数あたりの距離から算出された総距離である、
健康管理プログラムが得られる。
【００１２】
また本発明によれば、複数のコンテンツを記憶する記憶部と、
ユーザの移動量を取得する取得部と、
前記移動量に応じて、前記コンテンツをロック状態又はアンロック状態に制御するロック制御部と、
前記ユーザの端末上において、前記コンテンツの前記ロック状態及び前記アンロック状態を表示する状態表示部と、
を備える健康管理装置が得られる。
【発明の効果】
【００１３】
本発明によれば、楽しみながら運動を行うことができ、ユーザにパーソナライズされた健康管理プログラムを提供し得る。
ことができる。
【図面の簡単な説明】
【００１４】
【図１】本発明の第１の実施の形態による健康管理プログラムによるユーザ端末の画面表示例を示す図である。
【図２】図１のユーザ端末の機能構成を示すブロック図である。
【図３】コンテンツのアンロック条件とロック状態とを関連付けて管理するテーブルである。
【図４】第１の実施の形態による健康管理プログラムの処理フロー図である。
【図５】ユーザの日毎の歩数グラフと、アンロック条件が補正された状態の図３のテーブルである。
【図６】本発明の第２の実施の形態による健康管理プログラムによる健康管理システムの構成を示す図である。
【図７】図６の健康管理サーバの機能構成を示すブロック図である。
【図８】図６の複数のユーザ端末夫々が取得した各ユーザの歩数に関する情報を管理するテーブルである。
【図９】第２の実施の形態による健康管理プログラムの処理フローである。
【発明を実施するための形態】
【００１５】
（第１の実施の形態）
以下、本発明の第１の実施の形態による健康管理システムついて、図面を参照しながら説明する。
【００１６】
＜概要＞
本実施の形態による健康管理ブログラムによって具現される健康管理システムは、概略、ユーザの歩数を条件に、ユーザによるコンテンツ（メディア、仮想通貨、その他ユーザに何らかの価値を提供し得るものを意味するがこれに限られない）の利用を制御するものである。より詳しくは、図１に示すように、健康管理プログラムは、ユーザ端末１０を用いて具体的に実現される。ユーザ端末１０には、「今日のあなたの歩数」としてユーザの歩数「３７８７ｓｔｅｐｓ」が表示される。本実施の形態においては、画面内にコンテンツアイコン１０１乃至１０４が表示されており、各コンテンツは、歩数に応じてその利用の可否（アンロック状態／ロック状態）が制御されている。
【００１７】
図２に示されるように、ユーザ端末１０は、処理部１１、メインメモリ１２、外部メモリ１３、インタフェース１４、通信部１５及び歩数取得部１６を備え、これらはバスを介して電気的に相互に接続される。処理部１１は、外部メモリ１３に格納されたプログラム・モジュールや外部メモリ１３に格納された各種データ等をメインメモリ１２にロードして、順次プログラムを実行することにより処理を制御する。特に、処理部１１は、歩数取得部１６により取得した歩数（詳しくは後述する）に基づいてコンテンツの状態を制御する。インタフェース１４は、タッチパネルやタッチキーボード等のユーザの操作を受け付ける。歩数取得部１６は、具体的には慣性力を利用したセンサ（例えば、加速度センサ等）であり、ユーザ端末の変位情報から歩数を算定する際にりようされる。なお、本実施の形態においては、歩数取得部１６は、ユーザ端末１０内に設けられているが、例えば、ウェアラブル端末等のようにユーザ端末１０とは別体であってもよい。この場合、ユーザ端末１０は、別体とされた歩数取得部１６から、無線又は有線で歩数に関する情報を受信する。なお、ユーザ端末１０の情報処理の全部又は一部を、ネットワークを介して接続された他の端末（サーバ、クラウドコンピュータと等）を利用して一以上の処理に分散することとしてもよい。
【００１８】
外部メモリ１３には、各コンテンツの状態制御の条件を含むテーブルが格納されている。図３に示されるように、テーブルには、コンテンツの識別番号（ｃｏｎｔｅｎｔｓ＃）、ロック状態からアンロック状態へと変更する基準歩数（ｔｒｉｇｇｅｒ）及び現在の状態（Ｌｏｃｋ／Ｕｎｌｏｃｋ）とが関連付けられている。図示される例においては、コンテンツ＃０００１はアンロック状態となっており、コンテンツ＃０００２乃至＃０００４はロック状態となっている。したがって、ユーザは、現在の歩数３７８７（図１参照）では、コンテンツ＃０００１しか利用することができない。
【００１９】
本実施の形態によるコンテンツは、動画、画像、音楽、その他のメディアデータ、キャラクタアバター、アイテム、その他のゲームコンテンツ、並びにポイント、コイン、その他の仮想通貨等、ユーザに対して何らかの利益をもたらすものであれば、どのようなものであってもよく、ユーザに対する歩行運動のインセンティブとなるものであれば、その内容はどのようなものであってもよい。
【００２０】
図４に示されるように、ユーザ端末１０は、ユーザの歩数情報を取得し（ステップＳ４０１）、図３に示されるテーブルを参照しつつユーザの歩数が基準歩数を超えたか否かを判定する（ステップＳ４０２）。基準歩数を超えていた場合には（ステップＳ４０２で「Ｙｅｓ」）、該当するコンテンツをアンロック状態に変更し、ユーザに利用可能にする。
【００２１】
本実施の形態においては、図１に示されるように、各コンテンツ上に基準歩数が表示されているため、ユーザはあとどくらい歩数を稼げばコンテンツがアンロック状態になるかの目安がわかる。なお、表示する歩数は、アンロックまでの残り歩数（基準歩数と現在歩数との差）を表示することとしてもよい。更には、表示する情報は、歩数ではなく、予め一歩あたりの距離を入力させるかまたは年齢・性別等の属性から割り出される一歩当たりの平均的な距離から算出した「距離」でもよい。これにより、「距離」というわかりやすい概念によって目標までの目安を提示
【００２２】
本実施の形態においては、所定の基準歩数を超えるとコンテンツの利用制限が解除されるものであったが、例えば、翌日に当該歩基準数を下回った場合に、一度アンロックされたコンテンツを再度ロック状態にするととしてもよい。更に、基準歩数は、日毎の歩数を対象としていたが、例えば、一定期間（１週間等）の累積歩数を対象とするものであってもよい。
【００２３】
また、本実施の形態においては、ユーザの歩数履歴に応じて、基準歩数を補正することとしてもよい。図５に示されるように、歩数が減少傾向にある場合、コンテンツ＃０００２の基準歩数を５０００から４０００へと引き下げ、達成難易度を下げるとともに、ユーザに対して達成実感を持ってもらうことによって、運動習慣の継続を促すことができる。
【００２４】
また、ユーザ端末１０は、ユーザの歩数以外の健康状態情報を取得し、当該情報に基づいて基準歩数を補正することとしてもよい。健康状態情報は、行動情報と生態ログ情報とを含むことができる。行動情報とは、例えば、食事情報（食事時間および食事内容）、位置情報および移動情報並びにログイン情報（ログイン時間およびログイン頻度）を含んでいてもよい。当該行動情報は、ユーザ端末１０で取得されるユーザの日々の生活での行動に関する情報であり、ユーザ端末１０から直接または間接的に受信した食事の内容を示したテキストデータや画像データ、それに付随するタイムスタンプで食事時間を含めたり、ユーザ端末１０に記録されているＧＰＳデータから求められる当時の位置情報およびある時点で計測された位置情報とその次の時点で計測された位置情報から求められる移動情報を含めたり、所定のアプリケーションへログインした時間や一定期間内（一日、週間または月間等）のログイン頻度、ログイン先の情報サイトから得られるログインのアクセス履歴や健康管理対象者がサプリメント等健康食品、健康器具、トレーニングマシーンなどを購入した購買履歴を含めることができる。生体ログ情報は、心拍および脈拍情報、血圧情報、歩数および活動量並びに姿勢情報から構成される。当該生体ログ情報は、健康管理対象者の生体状況とその変化を記録した情報であり、ユーザ端末１０がウェアラブル機器、または、ウェアラブル機器と連携する端末である場合に、当該ウェアラブル機器が当該生体ログ情報を計測し、記録した情報を含めることができる。例えば、生体ログ情報は、ユーザ端末１０に内蔵されている加速度センサーに基づき健康管理対象者の動きを感知して判定する睡眠（レム睡眠またはノンレム睡眠など）情報が含まれる。その他、ユーザの健康に関する状態であれば、健康状態情報に含めることができる。健康状態情報に基づく補正の方法としては、当該ユーザにとっての基準値（平常時）から所定範囲で乖離した場合に基準歩数を変更することとしてもよい。
【００２５】
（第２の実施の形態）
上述した実施の形態は、ユーザ一人に対する健康管理システムであったが、第２の実施の形態による健康管理システムは、グルーピングされた複数のユーザに対して提供されるものである。より詳しくは、本実施の形態においては、同一グループに属する複数のユーザの歩数に応じて、コンテンツのロック／アンロックが行われる。これにより、グループを構成するユーザ間のチームワーク等を利用することで運動習慣の継続を図ることができる。
【００２６】
図６に示されるように、健康管理システム１’は、ネットワーク３０を介して相互に通信可能に接続された、健康管理サーバ（以下「サーバ」と呼ぶ）２０と、ユーザＡ乃至Ｂが保有する夫々のユーザ端末１０ａ乃至１０ｃとで構成される所謂クライアント／サーバモデルのシステムである。なお、ネットワーク３０は、携帯電話機やスマートフォン等に対するキャリアネットワークと、ＩＰベースのコンピュータネットワークとを含む。また、コンピュータネットワークは、図示されていない無線基地局（例えばＷｉＦｉ）によって構築される無線ネットワークを含んでもよい。
【００２７】
図７に示されるように、サーバ２０は、処理部１１、メインメモリ１２、外部メモリ１３、インターフェース１４、通信部１５及びディスクドライブ１６等を備え、これらはバスを介して電気的に相互に接続される。処理部１１は、外部メモリ１３に格納されたプログラム・モジュール、及びディスクドライブ１６に格納された各種データ等をメインメモリ１２にロードして、順次プログラムを実行することにより健康管理システムによる処理を制御する。特に、処理部１１は、通信部１５を介して取得したユーザの情報（歩数情報等）に基づいてユーザの健康情報を管理する機能や、ユーザ端末１０ａ乃至１０ｃに送信・表示するための情報を生成して通信部１５を介してユーザ端末１０に戻すように構成される。インターフェース１４は、サーバ１０の管理者によってアクセスされ、各種サーバ機能設定やネットワーク設定を実施する。
【００２８】
第１の実施の形態と同様に、外部メモリ２３には、各コンテンツの状態制御の条件を含むテーブルが格納されている（図３参照）。即ち、テーブルには、コンテンツの識別番号（ｃｏｎｔｅｎｔｓ＃）、ロック状態からアンロック状態へと変更する基準歩数（ｔｒｉｇｇｅｒ）及び現在の状態（Ｌｏｃｋ／Ｕｎｌｏｃｋ）とが関連付けられており、当該ロック状態／アンロック状態は当該グループに属するすべてのユーザに対して有効になる。
【００２９】
本実施の形態においては、図８に示されるように、同一グループに所属するユーザの識別番号（Ｕｓｅｒ  ＩＤ）、日毎の歩数（ｓｔｅｐｓ／ｄａｙ）、7日間の累積歩数（ｓｔｅｐｓ／７ｄａｙｓ）が管理されている日毎の歩数及び７日間の累積歩数は、毎日更新される。
【００３０】
本実施の形態によるコンテンツも、動画、画像、音楽、その他のメディアデータ、キャラクタアバター、アイテム、その他のゲームコンテンツ、並びにポイント、コイン、その他の仮想通貨等、ユーザに対して何らかの利益をもたらすものであれば、どのようなものであってもよく、ユーザに対する歩行運動のインセンティブとなるものであれば、その内容はどのようなものであってもよい。
【００３１】
図９に示されるように、サーバ２０は、各ユーザ端末１０ａ乃至１０ｃの歩数取得部（図示せず）で取得された歩数情報を取得し（ステップＳ９０１）、ユーザの合計歩数が基準歩数（グループ基準歩数）を超えたか否かを判定する（ステップＳ９０２）。グループ基準歩数を超えていた場合には（ステップＳ９０２で「Ｙｅｓ」）、該当するコンテンツをアンロック状態に変更し、各ユーザに利用可能にする。
【００３２】
なお、本実施の形態によるコンテンツのアンロックは、ユーザ全員に有効なものであったが、第１の実施の形態のように、基準歩数を超えたユーザのみにコンテンツがアンロックされ、当該ユーザのみが利用可能としてもよい。ユーザ間に競争をさせることによってさらに運動習慣を促進することができる。
【００３３】
また、本実施の形態においても、各ユーザの歩数履歴に応じて、基準歩数を補正することとしてもよい。例えば、グループ内のユーザにおいて普段から業務等歩くことが多い業種のユーザと、デスクワーク中心のユーザとの間では歩数に差が出てしまうた、日々の習慣状況に応じて、歩数に係数（ハンディ）を付与することとしてもよい。
【００３４】
本実施の形態においては、所定のグループ基準歩数を超えるとコンテンツの利用制限が解除されるものであったが、例えば、翌日に当該グループ歩基準数を下回った場合に、一度アンロックされたコンテンツを再度ロック状態にするととしてもよい。更に、グループ基準歩数は、日毎の歩数を対象としていたが、例えば、一定期間（１週間等）の累積歩数を対象とするものであってもよい。
【００３５】
なお、コンテンツとして、仮想通貨などの数値で量を観念できる場合には、アンロック状態にされた際には、各ユーザに等しく案分して付与することとしてもよいし、歩数割合に応じて案分することとしてもよい。例えば、それぞれが歩数Ｓだけ歩いたｉ人のグループによって、獲得された仮想通貨の総量がＣである場合に、ｍ番目のユーザが獲得できる仮想通貨の量Ｐｍは、例えば、数式１で表すことができる。
【００３６】
【数１】
2018061522.tif 000003
【００３７】
本発明においては、ユーザの移動量を「歩数」として説明したが、例えば、ＧＰＳ機能等により測定された移動距離などを用いることとしてもよい。
【符号の説明】
【００３８】
１０、１０ａ、１０ｂ、１０ｃ        ユーザ端末
１１、２１        処理部
１２、２２        メインメモリ
１３、２３        外部メモリ
１４、２４        インターフェース
１５、２５        通信部
１６        歩数取得部
２６        ディスクドライブ
３０        ネットワーク
２０        健康管理サーバ
１０１〜１０４        コンテンツ
【図１】
2018061522.tif 000004
【図２】
2018061522.tif 000005
【図３】
2018061522.tif 000006
【図４】
2018061522.tif 000007
【図５】
2018061522.tif 000008
【図６】
2018061522.tif 000009
【図７】
2018061522.tif 000010
【図８】
2018061522.tif 000011
【図９】
2018061522.tif 000012